【手続補正書】
【提出日】平成24年6月11日(2012.6.11)
【手続補正１】
【補正対象書類名】特許請求の範囲
【補正対象項目名】全文
【補正方法】変更
【補正の内容】
【特許請求の範囲】
【請求項１】
感覚再生装置などを用いたマルチメディアアプリケーションシステムにおいて、
コンテンツ、前記感覚再生装置などのユーザ選好情報（ＵＰＩ）、そして前記感覚再生装置などの再生能力を示す装置能力情報（ＤＣＩ）により前記感覚再生装置などを用いて感覚効果を表すために生成された感覚効果情報（ＳＥＩ）に基づいて前記感覚再生装置などの制御のための感覚再生装置制御命令（ＳＤＣ）を生成する感覚再生装置エンジン部と、
前記生成されたＳＤＣに基づいて感覚効果を再生するように各感覚再生装置を制御する感覚再生装置制御部と
を含むマルチメディアアプリケーションシステム。
【請求項２】
前記ＤＣＩは前記感覚再生装置などの再生能力の範囲を含むことを特徴とする請求項１に記載のマルチメディアアプリケーションシステム。
【請求項３】
感覚再生装置などを用いたマルチメディアアプリケーションシステムにおける感覚効果の再生方法において、
感覚再生装置エンジン部で動画コンテンツに応じて感覚効果を表す感覚再生装置のために生成された感覚効果情報（ＳＥＩ）の入力を受ける過程と、
感覚再生装置のユーザ選好情報（ＵＰＩ）の入力を受ける過程と、
前記感覚再生装置の再生能力を示す再生能力情報（ＤＣＩ）の入力を受ける過程と、
前記入力を受けたＳＥＩ、ＵＰＩ、 ＤＣＩに基づいて前記感覚再生装置の制御のための再生命令情報（ＳＤＣ）を生成する過程と、
前記生成されたＳＤＣを感覚効果の再生を行う各感覚再生装置と連動した感覚再生装置制御部に伝達する過程と
を含む感覚再生装置に係るメタデータを用いたマルチメディアアプリケーション方法。
【請求項４】
前記感覚効果情報（ＳＥＩ）は拡張性生成言語（ｅｘｔｅｎｓｉｂｌｅ  ｍａｒｋｕｐ  ｌａｎｇｕａｇｅ（ＸＭＬ））スキーマ形態のメタデータで叙述され、
前記ＳＥＩメタデータは、
拡張可能な再生装置の属性情報を叙述するメタデータ（＃＃ｏｔｈｅｒ）、
２つ以上の感覚効果情報を叙述するグループ効果メタデータ（Ｇｒｏｕｐ  Ｏｆ  Ｅｆｆｅｃｔｓ）、
１つの感覚効果情報を叙述するシングル効果メタデータ（Ｓｉｎｇｌｅ  Ｅｆｆｅｃｔ）、
前記感覚効果に関連したパラメータを叙述するパラメータメタデータ（Ｐａｒａｍｅｔｅｒｓ）のうち少なくとも一つを含むことを特徴とする請求項１に記載のマルチメディアアプリケーションシステム。
【請求項５】
前記ＳＥＩメタデータは前記ＳＥＩメタデータのスキーマで最上位の基本タイプとして提供されるＳＥＩ基本タイプメタデータ（ＳＥＩ  ｂａｓｅ  ｔｙｐｅ）を更に含み、
前記ＳＥＩ基本タイプメタデータ（ＳＥＩ  ｂａｓｅ  ｔｙｐｅ  ｍｅｔａｄａｔａ）は前記シングル効果メタデータの基本タイプ（Ｓｉｎｇｌｅ  Ｅｆｆｅｃｔ  Ｂａｓｅ  Ｔｙｐｅ）と、前記パラメータメタデータの基本タイプ（Ｐａｒａｍｅｔｅｒｓ  Ｂａｓｅ  Ｔｙｐｅ）と、ＳＤＣメタデータの基本タイプ（ＳＤＣ  Ｂａｓｅ  Ｔｙｐｅ）として用いることを特徴とする請求項４に記載のマルチメディアアプリケーションシステム。
【請求項６】
前記ＳＥＩ  ｂａｓｅ  ｔｙｐｅメタデータは、
識別可能な属性情報を示すメタデータ（ｉｄ）を含むことを特徴とする請求項５に記載のマルチメディアアプリケーションシステム。
【請求項７】
前記グループ効果（Ｇｒｏｕｐ  Ｏｆ  Ｅｆｆｅｃｔｓ）メタデータは、
拡張可能な再生装置の属性情報を叙述するメタデータ（＃＃ｏｔｈｅｒ）、及び
１つの感覚効果情報を叙述するシングル効果メタデータ（Ｓｉｎｇｌｅ  Ｅｆｆｅｃｔ）を含むことを特徴とする請求項４に記載のマルチメディアアプリケーションシステム。
【請求項８】
前記シングル効果メタデータ（Ｓｉｎｇｌｅ  Ｅｆｆｅｃｔ）の基本タイプ（Ｓｉｎｇｌｅ  Ｅｆｆｅｃｔ  Ｂａｓｅ  Ｔｙｐｅ）は、拡張可能な再生装置の属性情報を叙述するメタデータ（＃＃ｏｔｈｅｒ）を含むことを特徴とする請求項５に記載のマルチメディアアプリケーションシステム。
【請求項９】
前記パラメータメタデータの基本タイプ（Ｐａｒａｍｅｔｅｒｓ  Ｂａｓｅ  Ｔｙｐｅ）は、拡張可能な再生装置の属性情報を叙述するメタデータ（＃＃ｏｔｈｅｒ）を含むことを特徴とする請求項５に記載のマルチメディアアプリケーションシステム。
【請求項１０】
前記シングル効果メタデータ（Ｓｉｎｇｌｅ  Ｅｆｆｅｃｔ）は、
風効果を再生する感覚効果再生装置の情報を叙述するファンタイプメタデータ（Ｆａｎ  Ｔｙｐｅ）を含み、
前記ファンタイプメタデータは、
前記風効果を再生する感覚効果再生装置の再生方法の属性情報を叙述するメタデータ（ｍｅｔｈｏｄ）、
位置情報を示す属性情報を叙述するメタデータ（ｓｉｄｅ）、
再生強度を示す属性情報を叙述するメタデータ（ｓｐｅｅｄ）、
前記コンテンツが一定に再生される持続時間を示す属性情報を叙述するメタデータ（ｄｕｒａｔｉｏｎ）、
前記コンテンツが変化しながら再生される持続時間を示す属性情報を叙述するメタデータ（ｖＴｉｍｅ）、
変化する持続時間の時間の変化量を示す属性情報を叙述するメタデータ（ｖＤｅｌｔａ）、
変化するパターンを示す属性情報を叙述するメタデータ（ｖＳｉｄｅ）、
変化する再生強度の最低値を示す属性情報を叙述するメタデータ（ｖＬｏｗｅｒ）、
変化する再生強度の最高値を示す属性情報を叙述するメタデータ（ｖＵｐｐｅｒ）、及び
活性化された感覚効果再生装置の属性情報を叙述するメタデータ（ａｃｔｉｖａｔｅ）の中から選択された１つ以上のメタデータを含むことを特徴とする請求項４に記載のマルチメディアアプリケーションシステム。
【請求項１１】
前記メタデータＳｉｎｇｌｅ  Ｅｆｆｅｃｔは、前記コンテンツの原本カラー復元情報を叙述する原本メタデータ（Ｒｅｆｅｒｅｎｃｅ  Ｃｏｌｏｒ  Ｐａｒａｍｅｔｅｒ）を含み、
前記Ｒｅｆｅｒｅｎｃｅ  Ｃｏｌｏｒ  Ｐａｒａｍｅｔｅｒは、
カラー復元のための原本カラーディスプレイ装置の特性を示すカーブを叙述するメタデータ（Ｔｏｎｅ  Ｒｅｐｒｏｄｕｃｔｉｏｎ  Ｃｕｒｖｅｓ）、
原本映像のカラー空間から標準カラー空間への映像変換を行なうマトリックスを叙述するメタデータ（Ｃｏｎｖｅｒｓｉｏｎ  Ｍａｔｒｉｘ）、
原本映像作業空間における照明光源の種類を叙述するメタデータ（Ｉｌｌｕｍｉｎａｎｔ）、
原本カラーディスプレイ色域（ｃｏｌｏｒ  ｇａｍｕｔ）を叙述するメタデータ（Ｉｎｐｕｔ  Ｄｅｖｉｃｅ  Ｃｏｌｏｒ  Ｇａｍｕｔ）、及び
周辺の輝度を叙述するメタデータ（Ｌｕｍｉｎａｎｃｅ  Ｏｆ  Ｓｕｒｒｏｕｎｄ）の中から選択された１つ以上のメタデータを含むことを特徴とする請求項４に記載のマルチメディアアプリケーションシステム。
【請求項１２】
前記メタデータＰａｒａｍｅｔｅｒｓは、原本カラーディスプレイ装置の特性を示すカーブを叙述するメタデータ（Ｔｏｎｅ  Ｒｅｐｒｏｄｕｃｔｉｏｎ  Ｃｕｒｖｅｓ）を含み、
前記メタデータ（Ｔｏｎｅ  Ｒｅｐｒｏｄｕｃｔｉｏｎ  Ｃｕｒｖｅｓ）は、前記原本カラーディスプレイ装置の各チャネルのカンマ値を表示するために必要なＤＡＣ（Ｄｉｇｉｔａｌ  ｔｏ  Ａｎａｌｏｇ  ｃｏｎｖｅｒｓｉｏｎ）値とＲＧＢ値を叙述するメタデータ（Ｒｅｃｏｒｄ）、
前記ＤＡＣ値を叙述するメタデータ（ＤＡＣ＿Ｖａｌｕｅ）、及び
各チャネルのＲＧＢ値を叙述するメタデータ（ＲＧＢ＿Ｖａｌｕｅ）の中から選択された１つ以上のメタデータを含むことを特徴とする請求項４に記載のマルチメディアアプリケーションアプリケーションシステム。
【請求項１３】
前記ユーザ選好情報（ＵＰＩ）は拡張性生成言語（ＸＭＬ）スキーマ形態のメタデータで叙述され、
前記ＵＰＩメタデータは最終ユーザの個人情報を叙述するメタデータ（Ｐｅｒｓｏｎａｌ  Ｉｎｆｏ）及び感覚効果選好情報を叙述するメタデータ（Ｐｒｅｆｅｒｅｎｃｅ  Ｄｅｓｃｒｉｐｔｉｏｎ）を含むことを特徴とする請求項１に記載のマルチメディアアプリケーションシステム。
【請求項１４】
前記メタデータＰｒｅｆｅｒｅｎｃｅ  Ｄｅｓｃｒｉｐｔｉｏｎは、
前記コンテンツの原本カラー復元の選好情報を叙述するメタデータ（Ｓｅｌｅｃｔ  Ｒｅｆｅｒｅｎｃｅ  Ｃｏｌｏｒ）、
照明調節選好情報を叙述するメタデータ（Ｓｅｌｅｃｔ  Ｄｉｍｍｉｎｇ）、
周辺照明調節選好情報を叙述するメタデータ（Ｓｅｌｅｃｔ  ＬＥＤ）、
温度調節選好情報を叙述するメタデータ（Ｓｅｌｅｃｔ  Ｔｅｍｐｅｒａｔｕｒｅ）、及び
他の再生可能な効果の選好情報を叙述するメタデータ（Ｓｅｌｅｃｔ  Ｗｉｎｄ）の中から選択された１つ以上のメタデータを含むことを特徴とする請求項１３に記載のマルチメディアアプリケーションシステム。
【請求項１５】
前記再生能力情報（ＤＣＩ）は、
拡張性生成言語（ＸＭＬ）スキーマ形態のメタデータで叙述され、
前記ＤＣＩメタデータは前記感覚再生装置の再生可能な能力を叙述するメタデータ（Ｄｅｖｉｃｅ  Ｃａｐａｂｉｌｉｔｙ）を含むことを特徴とする請求項１に記載のマルチメディアアプリケーションシステム。
【請求項１６】
前記メタデータＤｅｖｉｃｅＣａｐａｂｉｌｉｔｙは、
前記感覚再生装置の固有識別番号属性情報を叙述するメタデータ（Ｄｅｖｉｃｅ  ＩＤ）、
装置の種類を叙述する属性情報を叙述するメタデータ（Ｔｙｐｅ  Ｏｆ  Ｄｅｖｉｃｅ）、
前記感覚再生装置の個数情報を叙述するメタデータ（Ｎｕｍｂｅｒ）、
前記感覚再生装置の最小能力情報を叙述するメタデータ（Ｍｉｎ  Ｌｅｖｅｌ）、
前記感覚再生装置の最大能力情報を叙述するメタデータ（Ｍａｘ  Ｌｅｖｅｌ）、
前記感覚再生装置の位置情報を叙述するメタデータ（Ｌｏｃａｔｉｏｎ）の中から選択された１つ以上のメタデータを含むことを特徴とする請求項１５に記載のマルチメディアアプリケーションシステム。
【請求項１７】
前記再生命令情報（ＳＤＣ）は拡張性生成言語（ＸＭＬ）スキーマ形態のメタデータで叙述され、
前記ＳＤＣメタデータは感覚再生装置制御命令を叙述するメタデータ（Ｓｅｎｓｏｒｙ  Ｄｅｖｉｃｅ  Ｃｏｍｍａｎｄ）を含むことを特徴とする請求項１に記載のマルチメディアアプリケーションシステム。
【請求項１８】
前記メタデータＳｅｎｓｏｒｙＤｅｖｉｃｅＣｏｍｍａｎｄは、
風効果を再生する装置制御命令情報を叙述するメタデータ（Ｓｅｔ  Ｆａｎ  Ｔｙｐｅ）を含み、
前記メタデータＳｅｔ  Ｆａｎ  Ｔｙｐｅは、
再生強度を示す属性情報を叙述するメタデータ（ｓｐｅｅｄ）、
一定の再生時間を示す属性情報を叙述するメタデータ（Ｄｕｒａｔｉｏｎ）、
再生装置の活性化を示す属性情報を叙述するメタデータ（Ａｃｔｉｖａｔｅ）の中から選択された１つ以上のメタデータを含むことを特徴とする請求項１７に記載のマルチメディアアプリケーションシステム。
【請求項１９】
前記メタデータＳｅｎｓｏｒｙＤｅｖｉｃｅＣｏｍｍａｎｄは、
スクリーン効果を再生する装置制御命令情報を叙述するメタデータ（ＳｅｔＳｃｒｅｅｎＴｙｐｅ）、
色感効果を再生する装置制御命令情報を叙述するメタデータ（Ｓｅｔ  Ｒｅｆｅｒｅｎｃｅ  Ｃｏｌｏｒ  Ｔｙｐｅ）、及び
照明効果を再生する装置制御命令情報を叙述するメタデータ（Ｓｅｔ  Ｌｉｇｈｔ  Ｔｙｐｅ）の中から選択された１つ以上のメタデータを含むことを特徴とする請求項１７に記載のマルチメディアアプリケーションシステム。